(57)【要約】      （修正有）【課題】地震により家屋倒壊時の判断は困難であるが、家屋耐震診断の上震度数値を設定すれば、地震の時直ちに避難警報ベルが鳴り倒壊の危険を知らせることができる。【解決手段】家屋倒壊危険の震度数値に達したる時点で警報ベルが鳴る。此の本機の震度数値を家屋耐震診断の上設定する事で危険を知らせる。幅震度数値目盛３と縦震度数値レバー１５の数値設定で、地震が発生と同時に幅震振子４は幅震円錐接地板７に、縦震振子８は縦震接地板１６に、各振子は振幅運動が起き各接地板に短絡し電流を流し警報ベルを鳴らす。【選択図】図１
0003132222.tif 000002
【実用新案登録請求の範囲】
【請求項１】
室内に設置又は取付けられた家屋倒壊耐震度数値設定警報機において、家屋耐震診断により家屋の倒壊の震度数を測定し、その幅震及び縦震の各震度数値を家屋倒壊耐震度数値設定警報機に設定し、設定した各震度数値以上の震度数ならば地震発生と同時に警報ベルが鳴ることを特徴とする鳴り作動する家屋倒壊耐震度数値設定警報機。
【考案の詳細な説明】
【技術分野】
【０００１】  本考案は縦震幅震設定により地震発生時避難ベルが鳴る警報機である。
【背景技術】
【０００２】  地震発生の情報はテレビ・ラジオだが遅く体感しかない。本機は直ちに家屋倒壊危険の避難ベルが鳴る警報機である。
【考案の開示】
【考案が解決しようとす課題】
【０００３】  此の考案は地震により家屋倒壊が何時倒壊するか否かの判断は難しく困難である、ただ避難するしかないがそれをまず知らしてくれるのが本機の特徴である。
此の家屋がどの程度の耐震度力があるのかは家屋建築年数によって異なるが家屋耐震診断の上、本機で耐震度数値を設定しておけば設定された以上の地震が発生したら警報ベルが鳴り避難の用意を素早く出来る。
【課題を解決するための手段】
【０００４】  室内に設置又は取付けられた家屋倒壊耐震度数値設定警報機において、家屋耐震診断により家屋の倒壊の震度数を測定し、その幅震及び縦震の各震度数値を家屋倒壊耐震度数値設定警報機に設定し、設定した各震度数値以上の震度数ならば地震発生と同時に警報ベルが鳴ることを特徴とする鳴り作動する家屋倒壊耐震度数値設定警報機である。
【考案の効果】
【０００５】  本考案の本機は従来にない開発したもので人命を守る、震度数を設定した以上の地震が発生したら倒壊のベルが鳴る、よって危険内から避難が容易で、就寝中においても起床が出来て避難時間の余裕が保てる効果がある。
【考案を実施するための最良の形態】
【０００６】  本考案は、家屋耐震診断により家屋の倒壊の震度数（幅震度と縦震度）を測定する。そして上部にバッテリー１の電源スイッチ２をＯＮする事により始動体制に入り幅震度数値目盛３を震度数値設定し、縦震度数値目盛レバー１５を数値設定する、此れでセッティング完了です。地震が発生すると幅震振子４が揺れ設定された震度数より大きくなると、円錐板７に触れ短絡しモーター１１が半回転しアームスイッチ１２が下に落ち接点１３に接触し警報機１７のベルが鳴る、又、縦震振子８が上下に揺れて下方に落ち設定された震度数より大きくなると、下にある接地板１６に接触し短絡してモーター１１が半回転しアームスイッチ１２が下に落ち接点１３に接触短絡し警報機１７のベルが鳴る。幅震及び縦震の電機回路は共通しているので同時作動する。
【実施例】
【０００７】  以下、添付図面に従って実施例を説明する。
設定方法と構造機構を説明する。
幅震度数値の電気回路を図４に示す。電源１から電源スイッチ２のＯＮにより電流はドラム５から幅震振子４に流れ、幅震円錐接地板７に接触短絡し、電流はモーター１１に流れ、モーター１１は半回転し、モーター１１の回転軸に取り付けてあるアームスイッチ１２はモーター１１の半回転により下に落ちて、接点スイッチ１３と接触短絡し警報機１７にＯＮとなり警報機１７のベルが鳴る。【０００８】  縦震度数値の電気回路は図４に示す、電源１から電源スイッチ２のＯＮにより電流はスプリング１０と縦震振子８に流れ縦震振子８は縦震接地板１６と接触短絡しモーター１１に電流は流れモーター１１は半回転しモーター１１の回転軸に取り付けてあるアームスイッチ１２はモーター１１の半回転により下に落ちて、接点スイッチ１３と接触短絡し警報機１７にＯＮとなり警報機１７のベルが鳴る。【０００９】  家屋倒壊耐震度数値数の幅震度設定の構造は、図１、図３で示す。幅震度の数値設定は倒壊幅震度数値目盛３を左に回せばドラム５が幅震度振子４を巻上げる。幅震度振子４と幅震円錐接地板７の隙間の距離が広くなり幅震度振子４の振幅運動が最大で接触短絡する。倒壊幅震度数値目盛３を右に回せばドラム５は巻もどり幅震度振子４は吊降り幅震度振子４と幅震円錐接地板７の隙間が狭くなり幅震度振子４の振幅運動が最小で接触短絡する。よって、倒壊幅震度数値目盛３を左に回せば耐震度数値が高く、強震度である。倒壊幅震度数値目盛３を右に回せば耐震度数値が低く、弱震度である。【００１０】  家屋倒壊耐震度数値の縦震度設定の構造は、図１、図３で示す。縦震度数値の設定は縦震度数値目盛レバー１５を左に移動すれば強震で右に移動すれば弱震の設定になる。縦震接地板１６は４５度に斜めになっている。縦震振子８が垂直落下して縦震接地板１６に接触するが縦震接地板１６の左右移動により接触点が異なる。左に移動した時は、縦震振子８が、縦震度接地板１６に接触するまでの距離が大きくなる。よって左に移動した場合は縦震度の設定は大きくなり、右に移動した場合は縦震振子８が、縦震度接地板１６に接触するまでの距離が小さくなり縦震度の設定は小さくなる。尚、この設定は家屋耐震診断の測定に基づき行う。【００１１】  バッテリー１の電源スイッチ２をＯＮにする。家屋耐震診断の測定した幅震度数値に倒壊幅震度数値目盛３を設定し、家屋耐震診断の測定した縦震度数値には縦震度数値目盛レバー１５で設定する。以上で地震発生と同時に幅震振子４は幅震円錐接地板７に振幅運動で接触短絡し警報ベル１７が鳴る。縦震は直下型地震が発生した時上下運動によりシリンダー９の中にある縦震振子８が上下の復元運動とスプリング１０の伸縮運動で上下に上昇下を繰返し縦震接地板１６に接触短絡し警報ベルが鳴る。【００１２】  ベル消音スイッチ１８は地震が終わってもベルは鳴っているので消音するにはベル消音スイッチ１８を左へ回転すれば電気回路がＯＦＦになり、次期地震発生に対しセッティングが出来る。【００１３】  本考案の実施例は上述の如き構成からなるものであって、地震が終わったらベル消音スイッチ１８をＯＦＦにする事で次期地震発生に対し対応したものでセッティングを怠る事がないので効率が良い。
【図面の簡単な説明】
【００１４】
【図１】本考案の本機の正面図案である
【図２】本考案の本機の左面図案である
【図３】本考案の本機の右面図案である
【図４】本考案の本機の配線図案である
【符号の説明】
【００１５】  １  バッテリー
２  電源スイッチ
３  幅震度数値目盛
４  幅震振子
５  ドラム
６  幅震電気回路
７  幅震円錐接地板
８  縦震振子
９  シリンダー
１０  スプリング
１１  モーター
１２  アームスイッチ
１３  接点スイッチ
１４  スライド台
１５  縦震度数値目盛レバー
１６  縦震接地板
１７  警報機
１８  ベル消音スイッチ
【図１】
0003132222.tif 000003
【図２】
0003132222.tif 000004
【図３】
0003132222.tif 000005
【図４】
0003132222.tif 000006
【手続補正書】
【提出日】平成19年2月26日(2007.2.26)
【手続補正１】
【補正対象書類名】実用新案登録請求の範囲
【補正対象項目名】全文
【補正方法】変更
【補正の内容】
【実用新案登録請求の範囲】
【請求項１】
室内に設置又は取り付けられた警報機において、次の構成を有することを特徴とする家屋倒壊耐震度数値設定警報機。
イ）  家屋耐震診断により家屋の倒壊の震度数を測定し、その幅震及び縦震の各震度数値を家屋倒壊耐震度数値設定警報機の幅震度数値目盛及び縦震度数値目盛により設定する構成。
ロ）  幅震度数値目盛で設定された震度数より大きくなると、幅震振子が左右に振れて円錐板に触れて警報機が鳴る構成。
ハ）  縦震度数値目盛で設定された震度数より大きくなると、縦震振子が上下に揺れて下にある接地板に接触して警報機が鳴る構成。